【手続補正書】
【提出日】平成27年2月13日(2015.2.13)
【手続補正１】
【補正対象書類名】明細書
【補正対象項目名】全文
【補正方法】変更
【補正の内容】
【発明の詳細な説明】
【発明の名称】使い捨ておむつ
【技術分野】
【０００１】
本発明は、使い捨ておむつに関するものである。
【背景技術】
【０００２】
使い捨ておむつにおいては、種々の吸収性能が要求され、その代表的なものの一つに逆戻り性能がある。逆戻りとは吸収体により一度吸収された尿が再び物品表面に戻り出てくる現象であり、逆戻りし易いと、不必要に肌が尿に触れ、夜用等の長時間使用ではかぶれや褥瘡を引き起こすおそれがあるため、逆戻りし難いものが望まれている。特に、このような要望は成人向けの使い捨ておむつに多いものである。
【０００３】
逆戻りに対しては、一般的には、表面シート、中間シート（吸収体と表面シートとの間に介在される）、吸収体等の素材の最適化が汎用されている解決策（例えば特許文献１参照）であるが、表面シートに撥水部分を設けること（例えば特許文献２参照）等の解決策も提案されている。
【先行技術文献】
【特許文献】
【０００４】
【特許文献１】特開２００７−１３０５０４号公報
【特許文献２】特開２０１１−１８９０６５号公報
【発明の概要】
【発明が解決しようとする課題】
【０００５】
しかしながら、依然として逆戻り、特に、多量に尿が供給される排尿位置及びその近傍の逆戻りに対しては改善の余地がある。
【０００６】
そこで、本発明の主たる課題は、排尿位置及びその近傍における逆戻り防止性能に優れた使い捨ておむつを提供することにある。
【課題を解決するための手段】
【０００７】
本発明者は、鋭意研究の結果、排尿位置及びその近傍における逆戻りが、当該位置における吸収体の上部が吸収飽和するほどに多量に尿を保持することが原因である、との知見を得て本発明をなすに至った。すなわち、上記課題を解決した本発明は次記のとおりである。
＜請求項１記載の発明＞
股間部の前側及び後側にそれぞれ延出する前側部分及び後側部分を有し、少なくとも排尿位置に吸収体が設けられた、使い捨ておむつにおいて、
前記吸収体における排尿位置の左右両側に、前記吸収体の表裏面に貫通するスリットが前後方向に沿ってそれぞれ延在されるとともに、
これらスリット間の領域の少なくとも両側部における、前記吸収体よりも上側に難透水層が設けられた、
ことを特徴とする使い捨ておむつ。
【０００８】
（作用効果）
本発明では、左右両側のスリット間の領域に供給された尿のうち、難透水層上に至った尿は当該難透水層上を移動してスリットに入り、スリット内から吸収体の下部に対してより多く供給されるようになる。よって、排尿位置及びその近傍において、難透水層及びスリットの共同作用によってより多くの尿が吸収体の下部に供給される分、吸収体の上部は尿を吸収保持し難くなり、その結果として排尿位置及びその近傍における逆戻りを抑制できるようになる。
【０００９】
これに対して、単に吸収体よりも上側に難透水層を設けるだけでは、吸収体の下層への尿供給は促進されず、吸収体の上層がより多く尿を吸収保持することに変わりはなく、また、吸収速度が低下するおそれもある。
【００１０】
なお、難透水層は、おむつの尿吸収領域のうち難透水層を有しない部位における透水性よりも透水性の低い層を意味し、不透水層を含むものである。
【００１１】
＜請求項２記載の発明＞
前記吸収体は、少なくとも股間部から後側部分にかけて前後方向に延在する下層吸収体と、この下層吸収体の上に、下層吸収体よりも幅が狭く且つ少なくとも股間部から後側部分にかけて前後方向に延在する上層吸収体とからなり、
前記スリットは、前記上層吸収体の表面から前記下層吸収体裏面まで一体的に貫通されている、
請求項１記載の使い捨ておむつ。
【００１２】
（作用効果）
このように吸収体を二層構造とすることにより、下層吸収体から上層吸収体への尿の上昇が発生し難くなるため、前述の本発明の逆戻り防止作用がより一層のものとなる。
【００１３】
＜請求項３記載の発明＞
前記難透水層は、前後方向に間隔を空けて複数配置されている、請求項１又は２記載の使い捨ておむつ。
【００１４】
（作用効果）
難透水層が前後方向連続していると、前後方向へ尿が流れやすくなり過ぎ、排尿位置の吸収体を十分に使えなくなったり、前漏れを生じたりするおそれがあるため、このように間欠的に設けるのが好ましい。
【００１５】
＜請求項４記載の発明＞
前記難透水層は、幅方向中央側から幅方向外側に向かうにつれて前後方向長さが拡大する形状を有している、請求項３記載の使い捨ておむつ。
【００１６】
（作用効果）
このような形状とすることにより、難透水層上の尿がスリット側に流れる際、幅が広がっても難透水層上から落ちにくくなり、より確実にスリットへと供給されるようになる。
【００１７】
＜請求項５記載の発明＞
前記難透水層が前記スリットの幅方向外側まで延在している、請求項３又は４記載の使い捨ておむつ。
【００１８】
（作用効果）
スリット間の部分は排尿位置になるため吸収飽和を起こしやすい。よって、このようにスリットを越えて難透水層を拡大することによって、吸収体におけるスリットの外側に位置する部分を積極的に利用し、排尿位置の吸収飽和及びそれによる逆戻りをより一層効果的に抑制することができる。
【００１９】
＜請求項６記載の発明＞
前記難透水層は、前記スリット上に位置する部分の透水性が他の部分よりも高い、請求項５記載の使い捨ておむつ。
【００２０】
（作用効果）
スリットを越えて難透水層を拡大すると、スリットに対する尿供給が低下するため、このようにスリット上に位置する部分の透水性を他の部分よりも高くするのが好ましい。
【００２１】
＜請求項７記載の発明＞
少なくとも前記難透水層を有する領域には、前記吸収体上に、液透過性素材からなる中間シート及び液透過性のトップシートがこの順に積層されており、前記中間シートに撥水剤が塗布されることによりこの撥水剤塗布部分が前記難透水層として形成されている、請求項１〜６のいずれか１項に記載の使い捨ておむつ。
【００２２】
（作用効果）
難透水層を設ける場合、特許文献２記載のようにトップシートに撥水剤を塗布しても良いが、尿が浸透せずに移動すると漏れ易くなるため、このように中間シートに撥水剤を塗布して難透水層とし、トップシートの液透過性を維持することにより、トップシート内又はトップシートと中間シートとの間を介して尿をスリットに向けて流す構造が好ましい。
【発明の効果】
【００２３】
以上のとおり本発明によれば、排尿位置及びその近傍における逆戻り防止性能に優れたものとなる、等の利点がもたらされる。
【図面の簡単な説明】
【００２４】
【図１】パッドタイプ使い捨ておむつの展開状態の内面側を示す平面図である。
【図２】要部のみを示す平面図である。
【図３】図１のＹ−Ｙ断面図である。
【図４】図１のＺ−Ｚ断面図である。
【図５】難透水層の各種形状を示す要部平面図である。
【図６】装着状態の内面側を示す斜視図である。
【発明を実施するための形態】
【００２５】
以下、本発明の一実施形態について添付図面を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。物品の前後方向中間あるいは吸収体の前後方向中間に幅の狭い括れ部分を有する場合は、いずれか一方又は両方の括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
【００２６】
図１〜図４は、本発明に係るパッドタイプ使い捨ておむつ例２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、物品全長（前後方向長さ）Ｌは３５０〜７００ｍｍ程度、全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００２７】
パッドタイプ使い捨ておむつ２００は、外面に外装シート３２が積層された不透液性バックシート２１の内面と、透液性トップシート２２との間に、吸収体２３Ｕ，２３Ｂが介在された基本構造を有している。
【００２８】
吸収体２３Ｕ，２３Ｂの裏面側には、不透液性バックシート２１が吸収体２３Ｕ，２３Ｂの周縁より若干食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２９】
また、不透液性バックシート２１の外面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３０】
吸収体２３Ｕ，２３Ｂの表面側は、透液性トップシート２２により覆われている。図示形態ではトップシート２２の側縁から吸収体２３Ｕ，２３Ｂが一部食み出しているが、吸収体２３Ｕ，２３Ｂの側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３１】
トップシート２２と吸収体２３Ｕ，２３Ｂとの間には、中間シート２５を介在させるのが望ましい。この中間シート２５は、吸収体２３Ｕ，２３Ｂにより吸収した尿の逆戻りを防止するために設けられるものであり、保水性が低く、且つ透液性の高い素材、例えば各種の不織布やメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅Ｗ４は後述する上層吸収体２３Ｕの幅Ｗ３の５０〜９０％程度であるのが好ましい。
【００３２】
パッドタイプ使い捨ておむつ２００の前後方向両端部では、外装シート３２および透液性トップシート２２が吸収体２３Ｕ，２３Ｂの前後端よりも前後両側にそれぞれ延在されて貼り合わされ、吸収体２３Ｕ，２３Ｂの存在しないエンドフラップ部ＥＦが形成されている。パッドタイプ使い捨ておむつ２００の両側部では、外装シート３２が吸収体２３Ｕ，２３Ｂの側縁よりも外側にそれぞれ延在され、この延在部からトップシート２２の側部までの部分の内面にはバリヤシート２４の幅方向外側の部分２４ｘが前後方向全体にわたり貼り付けられ、吸収体２３Ｕ，２３Ｂの存在しないサイドフラップ部ＳＦを構成している。これら貼り合わせ部分は、図１では点模様で示されており、ホットメルト接着剤、ヒートシール、超音波シールにより形成できる。外装シート３２を設けない場合、外装シート３２に代えて不透液性バックシート２１をサイドフラップ部ＳＦまで延在させ、サイドフラップ部ＳＦの外面側を形成することができる。
【００３３】
バリヤシート２４の素材としては、プラスチックシートやメルトブローン不織布を使用することもできるが、肌への感触性の点で、不織布にシリコンなどにより撥水処理をしたものが好適に使用される。
【００３４】
バリヤシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３５】
また、両バリヤシート２４，２４は、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部間では物品内面（図示形態ではトップシート２２表面）に固定されていない。この非固定部分は、図１に示されるように、物品内面（図示形態ではトップシート２２表面）に対して起立可能なバリヤ部となる部分であり、その起立基端２４ｂはバリヤシート２４における幅方向外側の固定部分２４ｘと内側の部分２４ｃとの境に位置する。
【００３６】
吸収体２３Ｕ，２３Ｂとしては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２３Ｕ，２３Ｂはクレープ紙等の包装シート２６（断面図中には図示せず）により包むことができる。また、吸収体２３Ｕ，２３Ｂの形状は、相対的に前側の部分が後側の部分よりも幅狭な帯状、あるいは長方形状、台形状等、適宜の形状とすることができる。
【００３７】
吸収体２３Ｕ，２３Ｂは、下層吸収体２３Ｂの上に、下層吸収体２３Ｂの幅Ｗ２よりも幅Ｗ３が狭く且つ少なくとも股間部Ｃ２から後側部分Ｂ２にかけて前後方向に延在する上層吸収体２３Ｕが積層された二層構造となっている。上層吸収体２３Ｕの前後方向長さＬ２は下層吸収体２３Ｂの前後方向長さＬ１と同じであっても良いが、７０〜８５％程度とするのが望ましい。また、上層吸収体２３Ｕの全幅Ｗ３は下層吸収体２３Ｂの全幅Ｗ２の４０〜６０％程度とするのが望ましい。
【００３８】
吸収体２３Ｕ，２３Ｂにおける繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。より詳細には、下層吸収体２３Ｂの繊維目付けは例えば８０〜４００ｇ／ｍ2程度、高吸収性ポリマーの目付けは例えば５０〜４００ｇ／ｍ2程度とすることができ、上層吸収体２３Ｕの繊維目付けは例えば８０〜３００ｇ／ｍ2程度、高吸収性ポリマーの目付けは例えば１０〜２００ｇ／ｍ2程度とすることができる。
【００３９】
下層吸収体２３Ｂは、股間部Ｃ２を含む前後方向中間の所定部分が幅の狭い括れ部分２３ｎとして形成されている。この括れ部分２３ｎの最小幅Ｗ５は、括れ部分２３ｎの前後に位置する非括れ部分の幅Ｗ２の５０〜６５％程度であるのが好ましい。また、物品前端を０％とし物品後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ５となる部位（最小幅部位）は２５〜３０％の範囲に位置しているのが好ましい。
【００４０】
上層吸収体２３Ｕ及び下層吸収体２３Ｂは、両者を積層した後に一体的な包装シート（図示省略）により包んでもよく、また、個別に包装シート（図示省略）により包んだ後に積層しても良い。また、図示形態の上層吸収体２３Ｕは、長方形状をなしているが、下層吸収体２３Ｂと同様に前後方向中間部に括れ部分を有していても良い（図示略）。
【００４１】
特徴的には、吸収体２３Ｕ，２３Ｂにおける排尿位置の左右両側に、上層吸収体２３Ｕの表面から下層吸収体２３Ｂ裏面まで一体的に貫通するスリット４０が前後方向に沿ってそれぞれ延在されるとともに、これらスリット４０間の領域の少なくとも両側部における、吸収体２３Ｕ，２３Ｂよりも上側に難透水層２５Ｆが設けられている。これにより、左右両側のスリット４０間の領域に供給された尿のうち、難透水層２５Ｆ上に至った尿は当該難透水層２５Ｆ上を移動してスリット４０に入り、スリット４０内から吸収体２３Ｕ，２３Ｂの下部に対してより多く供給されるようになる。よって、排尿位置及びその近傍において、難透水層２５Ｆ及びスリット４０の共同作用によってより多くの尿が吸収体２３Ｕ，２３Ｂの下部に供給される分、吸収体２３Ｕ，２３Ｂの上部は尿を吸収保持し難くなり、その結果として排尿位置及びその近傍における逆戻りを抑制できるようになる。
【００４２】
前述のとおり、難透水層２５Ｆは、おむつの尿吸収領域のうち難透水層を有しない部位における透水性よりも透水性の低い層を意味し、不透水層を含むものである。不透水層には、透水孔を有しないフィルムやシートの他、透水性素材を基材として撥水剤や接着剤等の付加的手段により不透水としたものが含まれる。
【００４３】
難透水層２５Ｆは、トップシート２２、中間シート２５、吸収体２３Ｕ，２３Ｂの包装シート（図示省略）自体に、撥水剤（例えばシリコン系、パラフィン系、アルキルクロミッククロリド系撥水剤など）を塗布することにより、当該素材の撥水剤塗布部分を難透水層２５Ｆとすることが望ましいが、液不透過性のフィルムを難透水層２５Ｆとして、吸収体２３Ｕ，２３Ｂより上側の素材間、又はトップシート２２上に貼り付けても良い。ただし、トップシート２２に撥水剤を塗布する又はトップシート２２上に難透水層２５Ｆを貼り付けると、尿が表面から浸透せずに移動して漏れ易くなるため、中間シート２５に撥水剤を塗布して難透水層２５Ｆとし、トップシート２２の液透過性を維持することにより、トップシート２２内又はトップシート２２と中間シート２５との間を介して尿をスリット４０に向けて流す構造が好ましい。
【００４４】
難透水層２５Ｆは前後方向連続していると、前後方向へ尿が流れやすくなり過ぎ、排尿位置の吸収体２３Ｕ，２３Ｂを十分に使えなくなったり、前漏れを生じたりするおそれがある。よって図示形態のように、難透水層２５Ｆは前後方向に間隔を空けて複数配置されているのが好ましい。
【００４５】
難透水層２５Ｆの形状は適宜定めることができるが、図示例のように難透水層２５Ｆを前後方向に間欠的に設ける場合、各難透水層２５Ｆが幅方向中央側から幅方向外側に向かうにつれて前後方向長さが拡大する形状とされていると、難透水層２５Ｆ上の尿がスリット４０側に流れる際、幅が広がっても難透水層２５Ｆ上から落ちにくくなり、より確実にスリット４０へと供給されるようになるため好ましい。より具体的には、難透水層２５Ｆは図５（ａ）に示すような幅方向中央を頂点とした左右両側の三角形状の部分からなる形状とする他、図５（ｂ）（ｃ）に示すような幅方向中央を上底、側縁を下底とした左右両側の台形状の部分からなる形状とすることができる。また、図示例と異なり、左右両側の難透水層２５Ｆを幅方向中央で連続させずに、離間させることもできる。
【００４６】
さらに、図６に示すように排尿位置はおむつの前寄りに位置し、その周囲は前後方向においては後ろ下がり、幅方向においては両側ほど下がる装着状態となるため、図５に示す例のように各難透水層２５Ｆの前縁ＦＥ及び後縁ＢＥは、幅方向外側に向かうに連れて後側に向かうように傾斜していると、難透水層２５Ｆ上の尿がスリット４０側に流れる際、難透水層２５Ｆ上から落ちにくくなり、より確実にスリット４０へと供給されるようになるため好ましい。
【００４７】
また、図示例のように難透水層２５Ｆを前後方向に間欠的に設ける場合、各難透水層２５Ｆの寸法は適宜定めることができるが、幅方向中央側の端部（図示例のように左右の難透水層２５Ｆが幅方向中央で連続する場合は幅方向中央）における前後方向長さが１〜１０ｍｍ程度であるのが好ましく、幅方向外側の端部における前後方向長さが１０〜２０ｍｍ程度であるのが好ましい。また、隣接する難透水層２５Ｆ間の間隔は５〜２０ｍｍ程度であるのが好ましい。また、各難透水層２５Ｆの前縁ＦＥは幅方向に対して後側に０〜３０度程度、後縁ＢＥは幅方向に対して後側に３０〜６０度程度傾斜しているのが好ましい。これらの傾斜角度は図中にθ１及びθ２としてそれぞれ示されている。
【００４８】
また、難透水層２５Ｆを前後方向に間欠的に設ける場合、図示例のように難透水層２５Ｆをスリット４０の幅方向外側まで延在させるのも一つの好ましい形態である。すなわち、吸収体２３Ｕ，２３Ｂにおけるスリット４０間の部分は排尿位置になるため吸収飽和を起こしやすい。よって、このようにスリット４０を越えて難透水層２５Ｆを拡大することによって、吸収体２３Ｕ，２３Ｂにおけるスリット４０の外側に位置する部分を積極的に利用し、排尿位置の吸収飽和及びそれによる逆戻りをより一層効果的に抑制することができる。もちろん、難透水層２５Ｆはスリット４０上までとしたり、スリット４０の幅方向中側の縁までとしたりすることが可能である。
【００４９】
さらに、このようにスリット４０を越えて難透水層２５Ｆを拡大すると、スリット４０に対する尿供給が低下するため、図５（ｃ）に示すようにスリット４０上に位置する部分２５Ｗの透水性を他の部分よりも高くするのが好ましい。この場合、透水性を高くする部分２５Ｗは、図示例のようにスリット４０上に位置する部分の一部とする他、スリット４０上に位置する部分全体としたり、スリット４０上に位置する部分及びその両側の部分全体としたりすることができる。
【００５０】
他方、スリット４０の幅４０ｗは適宜定めることができるが、通常の場合５〜２０ｍｍの範囲内にあるのが好ましく、特に１０〜１５ｍｍの範囲内にあるのが好ましい。スリット４０の幅４０ｗが狭過ぎると尿がスリット４０に導入されにくくなり、吸収速度が低下する。また広すぎると排尿位置の吸収量が低下する、吸収体２３Ｕ，２３Ｂが型崩れしやすくなる。
【００５１】
＜その他＞
上記例では、吸収体２３Ｕ，２３Ｂが上層吸収体２３Ｕ及び下層吸収体２３Ｂからなる二層構造とされているため、下層吸収体２３Ｂから上層吸収体２３Ｕへの尿の上昇が発生し難くなり、前述の逆戻り防止作用がより一層のものとなる点で好ましいものであるが、吸収体２３Ｕ，２３Ｂを一層構造（例えば図示例の上層吸収体２３Ｕを省略する等）としてスリット４０をその表裏面に貫通する形態としても良い。
【産業上の利用可能性】
【００５２】
本発明は、パッドタイプ使い捨ておむつ、パンツタイプ若しくはテープタイプ使い捨ておむつ等、使い捨ておむつ全般に利用できるものである。
【符号の説明】
【００５３】
２１…バックシート、２２…トップシート、２３Ｕ，２３Ｂ…吸収体、２３Ｕ…上層吸収体、２３Ｂ…下層吸収体、２４…バリヤシート、２５…中間シート、２５Ｆ…難透水層、２６…包装シート、３２…外装シート、４０…スリット、２００…パッドタイプ使い捨ておむつ、ＦＥ…難透水層の前縁、ＢＥ…難透水層の後縁